(57)【要約】【課題】光ディスクの回転で生じる空気流をその内部に導入可能な冷却効果に優れた光ピックアップ装置と、それを備えた光ディスク装置を提供する。【解決手段】光ディスク上の情報の記録、再生を行う光ピックアップ装置において、対物レンズ駆動装置２を構成する３個で一対の永久磁石を構成する永久磁石４１ａ、４１ｂ、４１ｃ、４１ａ’、４１ｂ’、４１ｃ’は、中央に設置したある極性を有する１個の永久磁石４１ｂ、４１ｂ’に対し、その両側部に極性を逆にする永久磁石４１ａ、４１ｃ、４１ａ’、４１ｃ’を２個設置し、中央の１個の永久磁石４１ｂ、４１ｂ’を、その両側に２個設置される永久磁石よりも高さを小さくすることで、光ディスクの回転方向と同一方向に凹形状に窪んだ段差部４６、４６’を設け、かつ、固定部材５２、ヨーク４２のいずれにも光ディスク７の回転方向７ａと同一方向に凹形状に窪んだ段差部５３、４５、４５’を設ける。【選択図】図６
2011028812.tif 000002
【特許請求の範囲】
【請求項１】
レーザ発光部であるレーザ素子と、レーザ受光部と、レーザ光を光ディスク上に集光させるための対物レンズと、前記対物レンズの光ディスクに対する位置および角度を制御するための対物レンズ駆動装置と、前記レーザ素子、レーザ受光部、対物レンズ駆動装置等を制御する制御回路基板とを有する光ピックアップ装置であって、前記対物レンズ駆動装置が、前記対物レンズおよび対物レンズの位置および角度を制御するためのコイルを搭載してなる対物レンズ支持筐体と、前記対物レンズ支持筐体を間に挟むように設置される３個一対の永久磁石と、前記永久磁石を支持固定するヨークと、前記対物レンズ支持筐体を光ピックアップ筐体に弾性支持する固定部材と、前記永久磁石と前記ヨークを覆うように設置される対物レンズ駆動装置カバーからなるものにおいて、
前記３個一対の永久磁石は、それぞれ、中央に設置される１個の永久磁石と、その両側部に極性を逆にして配置された２個の永久磁石とからなり、かつ、当該中央に設置される１個の永久磁石の形状を、その両側部に２個設置される永久磁石よりも高さを小さくすることで光ディスクの回転方向と同一方向に凹形状に窪んだ段差部を設け、
前記ヨーク、固定部材のいずれにも光ディスクの回転方向と同一方向に前記永久磁石に設けられる凹形状に窪んだ段差部と略同一の凹形状に窪んだ段差部を設けると共に、
前記対物レンズ駆動装置カバーに、光ディスクの回転方向と同一方向であって、かつ、前記段差部の凹形状と略同一形状を有する開口部を、前記対物レンズに対して前記ディスク回転方向の上流側と下流側の２箇所に設けることを特徴とする光ピックアップ装置。
【請求項２】
前記請求項１記載の光ピックアップ装置であって、前記対物レンズ駆動装置カバーの開口部の開口高さを、前記固定部材の上面部よりも高くすることを特徴とする光ピックアップ装置。
【請求項３】
前記請求項１記載の光ピックアップ装置であって、前記固定部材の凹形状に窪んだ段差部の段差長さを、前記対物レンズ駆動装置カバーの開口部に向け、徐々に狭めることを特徴とする光ピックアップ装置。
【請求項４】
前記請求項１記載の光ピックアップ装置であって、前記固定部材の凹形状に窪んだ段差部において、を前記段差部の段差深さを前記対物レンズ支持筐体に向けて徐々に深くすることを特徴とする光ピックアップ装置。
【請求項５】
前記請求項１記載の光ピックアップ装置であって、前記対物レンズ駆動装置カバーを、前記永久磁石およびヨークの上面と前記固定部材の凹形状に窪んだ段差部の上面を覆うように設置することを特徴とする光ピックアップ装置。
【請求項６】
筐体の内部に、外部から装填される光ディスクを回転駆動するスピンドルモータと共に、前記請求項１から５のいずれか一項に記載の光ピックアップ装置を移動可能に配置し、かつ、前記光ピックアップ装置を前記光ディスクの半径方向に移動するステッピングモータを具備することを特徴とする光ディスク装置。
【発明の詳細な説明】
【技術分野】
【０００１】
本発明は、記録媒体の一種である光ディスクに対し情報を記録又は再生する光ディスク装置に関し、特に、かかる装置において光ディスクを回転させた状態で情報の記録又は再生を行う光ピックアップ装置に関する。
【背景技術】
【０００２】
光ピックアップ装置とは、光ディスク装置に搭載され、光ディスク上の情報記録面から情報を読み出す、あるいは、当該光ディスク上の情報記録面に情報を記録する際のレーザ光を制御する装置である。光ピックアップ装置内に搭載されるレーザ素子から発振されるレーザ光を、同じく光ピックアップ装置内に搭載される対物レンズを介して、所定の速度で回転する光ディスク上にレーザ光を集光させることで、光ディスク上の情報を読み出し、あるいは、光ディスク上に情報を記録する。対物レンズによってレーザ光を光ディスク上において高精度に集光させるため、光ディスクに対する対物レンズの位置および角度は、光ピックアップに搭載される対物レンズ駆動装置によって制御される。
【０００３】
対物レンズ駆動装置は、対物レンズと前記対物レンズの位置および角度を制御するためのコイルと、前記対物レンズおよび前記コイルを支持してなる対物レンズ支持筐体と、前記対物レンズ支持筐体を間に挟むように配置される３個一対の永久磁石とから構成される。対物レンズ支持筐体が磁界中に配置され、そして、当該対物レンズ支持筐体に取り付けたコイルに電流を流すことで電磁力が発生し、これにより前記支持筐体の位置および角度が制御される。
【０００４】
近年、かかる光ディスク装置は、特に、その記憶容量を大容量化することが求められており、これに伴って、光ピックアップ装置は、記憶容量７４０ＭＢのＣＤ（Ｃｏｍｐａｃｔ  Ｄｉｓｃ）、４．７ＧＢのＤＶＤ（Ｄｉｇｉｔａｌ  Ｖｅｒｓａｔｉｌｅ  Ｄｉｓｃ）に加え、更に、記憶容量２５ＧＢのＢＤ（Ｂｌｕ−ｒａｙ  Ｄｉｓｃ、登録商標）に対応させることが必要となる。
【０００５】
このように、これら全ての種類の光ディスクに対応させるためには、光ピックアップは、ＣＤおよびＤＶＤに対応する対物レンズに加え、更に、ＢＤにも対応する対物レンズ、即ち、２個の対物レンズが必要となる。そのため、前記支持筐体の自重が増大し、そして、自重が増加した支持筐体の位置および角度を高精度に制御するためには、より大きな駆動力が必要となる。そのため、コイルに流す電流を増大させることが必要となり、それに伴い、コイルからの発熱量が増大し、その結果、対物レンズの温度が過度に上昇する。このため、対物レンズの熱変形が生じ、レーザ光の光軸ずれが発生するため、光ディスク上への情報の記録、再生精度が大幅に低下するという問題が生じる。なお、一般に、低コスト化のためには、前記対物レンズの材質としてはガラスよりもプラスチックが好ましく、この場合、対物レンズの熱変形はさらに顕著になる。即ち、レーザ光の光軸ずれによって記録品質が低下するという問題は、さらに顕在化する。
【０００６】
この対策として、例えば、以下の特許文献１では、光ピックアップを覆う光ディスク装置のメカカバーに開口部を設けることで、光ディスクの回転によって生じる空気流を光ピックアップ装置の内部に取り込み、対物レンズを搭載する光ピックアップを冷却する方法が提案されている。また、以下の特許文献２では、光ピックアップ装置の放熱カバーに光ディスクの回転方向に対して垂直な方向に導風部材を設けることにより、光ディスクの回転に伴って発生する空気流を光ピックアップ内に導き、もって、対物レンズを冷却する方法が提案されている。
【先行技術文献】
【特許文献】
【０００７】
【特許文献１】特開２００８−２５１０５８号公報
【特許文献２】特開２００１−７６３６２号公報
【発明の概要】
【発明が解決しようとする課題】
【０００８】
しかしながら、上述した従来技術になる光ピックアップの構造では、以下の詳細な説明にも説明するように、特に、ＣＤやＤＶＤだけでなく、更に、ＢＤにも対応するため２個の対物レンズを備える光ピックアップ装置では、そのコイル電流による発熱が増大するが、その構造から、光ディスクの回転によって生じる空気流をその内部に取り込むことは難しく、十分な冷却効果が得られないという問題点があった。
【０００９】
そこで、本発明は、上述したように、特に、ＣＤやＤＶＤだけでなくＢＤにも対応が可能な光ディスク装置、特に、その光ピックアップ装置において、光ディスクの回転によって生じる空気流を装置の内部に取り込むことを可能として十分な冷却効果を達成し、もって、対物レンズの過度な温度上昇によって光ディスク上へのレーザ光の集光精度が低下し、光ディスク上への情報の記録再生品質が低下するという課題を解決することが可能な光ピックアップ装置及びそれを備えた光ディスク装置を提供することを目的とする。
【課題を解決するための手段】
【００１０】
本発明によれば、上述した目的を達成するため、まず、レーザ発光部であるレーザ素子と、レーザ受光部と、レーザ光を光ディスク上に集光させるための対物レンズと、前記対物レンズの光ディスクに対する位置および角度を制御するための対物レンズ駆動装置と、前記レーザ素子、レーザ受光部、対物レンズ駆動装置等を制御する制御回路基板とを有する光ピックアップ装置であって、前記対物レンズ駆動装置が、前記対物レンズおよび対物レンズの位置および角度を制御するためのコイルを搭載してなる対物レンズ支持筐体と、前記対物レンズ支持筐体を間に挟むように設置される３個一対の永久磁石と、前記永久磁石を支持固定するヨークと、前記対物レンズ支持筐体を光ピックアップ筐体に弾性支持する固定部材と、前記永久磁石と前記ヨークを覆うように設置される対物レンズ駆動装置カバーからなるものであって、前記３個一対の永久磁石は、それぞれ、中央に設置される１個の永久磁石と、その両側部に極性を逆にして配置された２個の永久磁石とからなり、かつ、当該中央に設置される１個の永久磁石の形状を、その両側部に２個設置される永久磁石よりも高さを小さくすることで光ディスクの回転方向と同一方向に凹形状に窪んだ段差部を設け、前記ヨーク、固定部材のいずれにも光ディスクの回転方向と同一方向に前記永久磁石に設けられる凹形状に窪んだ段差部と略同一の凹形状に窪んだ段差部を設けると共に、前記対物レンズ駆動装置カバーに、光ディスクの回転方向と同一方向であって、かつ、前記段差部の凹形状と略同一形状を有する開口部を、前記対物レンズに対して前記ディスク回転方向の上流側と下流側の２箇所に設けた光ピックアップ装置が提供される。
【００１１】
また、本発明では、上述した光ピックアップ装置において、前記対物レンズ駆動装置カバーの開口部の開口高さを、前記固定部材の上面部よりも高くすることが好ましく、又は、前記固定部材の凹形状に窪んだ段差部の段差長さを、前記対物レンズ駆動装置カバーの開口部に向け、徐々に狭めることが好ましい。或いは、前記の光ピックアップ装置であって、前記固定部材の凹形状に窪んだ段差部において、を前記段差部の段差深さを前記対物レンズ支持筐体に向けて徐々に深くすることが好ましく、又は、前記対物レンズ駆動装置カバーを、前記永久磁石およびヨークの上面と前記固定部材の凹形状に窪んだ段差部の上面を覆うように設置することが好ましい。
【００１２】
また、本発明では、やはり上述の目的を達成するため、筐体の内部に、外部から装填される光ディスクを回転駆動するスピンドルモータと共に、前記に記載の光ピックアップ装置を移動可能に配置し、かつ、前記光ピックアップ装置を前記光ディスクの半径方向に移動するステッピングモータを具備する光ディスク装置が提供される。
【００１３】
より詳細に説明すると、本発明では、前記永久磁石の構成として、例えば、中央部にＳ極を有する永久磁石を設置し、その両側部にＮ極を有する永久磁石を２個設置する。前記永久磁石に設けられる凹形状に窪んだ段差部は、例えば、中央部に設置されるＳ極を有する永久磁石の形状を、その両側部に２個設置されるＮ極の永久磁石よりも高さ小さくすることで形成される。かかる構成によれば、光ディスクの回転によって生じる空気流が、前記開口部（対物レンズに対して空気流の上流側）から前記段差部（対物レンズに対して空気流の上流側）に取り込まれ、段差部を通過した空気流が前記対物レンズ支持筐体、さらには前記対物レンズ支持筐体に巻かれるコイルまで直接導かれる。さらに、対物レンズ支持筐体まで導かれた空気流は、前記段差部（対物レンズに対して空気流の下流側）を通過し、前記開口部（対物レンズに対して空気流の下流側）から排出される。
【発明の効果】
【００１４】
本発明の光ピックアップ装置及びそれを備えた光ディスク装置では、対物レンズ駆動装置を構成する永久磁石、ヨーク、固定部材のいずれにも光ディスクの回転方向と同一方向に凹形状に窪んだ段差部を設けると共に、対物レンズ駆動装置カバーに、光ディスクの回転方向と同一方向であって、かつ、前記段差部の凹形状と同一形状を有する開口部を２箇所に設けている。かかる構成によれば、光ディスクの回転によって生じる空気流を、前記対物レンズ駆動装置カバーの開口部、および前記凹形状に窪んだ段差部から導入し、対物レンズ駆動装置の主たる発熱源であるコイルに直接導くことで、コイルの放熱を促進させることができる。これにより対物レンズの過度の温度上昇を抑制し、もって、光ディスク装置の光ディスク上への情報の記録、再生精度の低下を抑えることが可能となる。
【００１５】
また、本発明の光ピックアップ装置において、対物レンズ駆動装置を構成する３個の永久磁石（２対）は、中央部に設置される１個の永久磁石と、その両側部に極性を逆にする２つの永久磁石とする。中央に設置される１個の永久磁石の形状を、その両側部に２個設置される永久磁石よりも小さくすることで、中央部に設置される永久磁石により形成される磁場が、両側部の極性を逆にする永久磁石によって形成される磁場に比べて弱いため、コイルに電流を流した時に生じる駆動を妨げる電磁力が小さくなり、対物レンズ支持筐体を駆動させる力が相対的に大きくなる。これにより、対物レンズ支持筐体の駆動に必要な電流が小さくなり、コイルの発熱量を低減することができるため、対物レンズの過度の温度上昇を抑制し、光ディスク上への情報の記録、再生精度の低下を抑えることが可能となる。
【図面の簡単な説明】
【００１６】
【図１】本発明の一実施の形態になる光ディスク装置と、その内部における光ピックアップ装置の位置関係を示す概略平面図である。
【図２】上記図１におけるＡ−Ａ’断面を示す断面図である。
【図３】上記光ピックアップ装置の外部構成を示した平面図である。
【図４】上記光ピックアップ装置の内部構成を示した平面図である。
【図５】上記光ピックアップ装置に搭載する対物レンズ駆動装置の全体構成を示す斜視図である。
【図６】上記光ピックアップ装置に搭載する対物レンズ駆動装置の内部構成を示す一部展開斜視図である。
【図７】上記対物レンズ駆動装置の対物レンズ支持筐体の構成を示す一部拡大斜視図である。
【図８】上記対物レンズ支持筐体におけるコイルの構成を示す一部拡大斜視図である。
【図９】上記光ピックアップ装置における対物レンズ支持筐体の一般構造を示す斜視図である。
【図１０】上記対物レンズ支持筐体の一般構造におけるｙ軸方向の駆動原理を示す説明図である。
【図１１】上記光ピックアップ装置における対物レンズ支持筐体の一般構造を示す斜視図である。
【図１２】上記対物レンズ支持筐体の一般構造におけるｚ軸方向の駆動原理を示す説明図である。
【図１３】本発明の実施例１になる光ピックアップ装置に搭載する対物レンズ駆動装置の一部展開斜視図である。
【図１４】上記図１３におけるＡ−Ａ’断面を示す断面図である。
【図１５】本発明の実施例１になる光ピックアップ装置における空気流の流れを示す斜視図である。
【図１６】上記図１５におけるＡ−Ａ’断面を示す断面図である。
【図１７】上記本発明の実施例１になる光ピックアップ装置における冷却効果を示すグラフを含む図である。
【図１８】本発明の実施例１になる光ピックアップ装置に搭載する対物レンズ駆動装置の一部展開斜視図である。
【図１９】上記図１８における断面を示す断面図である。
【図２０】本発明の実施例２になる光ピックアップ装置に搭載する対物レンズ駆動装置の一部展開斜視図である。
【図２１】上記図２０におけるＡ−Ａ’断面を示す断面図である。
【図２２】本発明の実施例３になる光ピックアップ装置に搭載する対物レンズ駆動装置の一部展開斜視図である。
【図２３】本発明の実施例４になる光ピックアップ装置に搭載する対物レンズ駆動装置の一部展開斜視図である。
【図２４】上記図２３におけるＡ−Ａ’断面を示す断面図である。
【図２５】本発明の実施例５になる光ピックアップ装置に搭載する対物レンズ駆動装置の一部展開斜視図である。
【図２６】上記図２５におけるＡ−Ａ’断面を示す断面図である。
【発明を実施するための最良の形態】
【００１７】
以下、本発明の実施の形態の詳細について、添付の図面を参照しながら説明する。
【００１８】
図１は、光ピックアップ装置１を搭載した光ディスク装置２１の概略内部構成を示す平面図であり、図２は、上記図１中のＡ−Ａ’断面の概略図である。これらの図からも明らかなように、光ディスク装置２１では、外形略箱状の筐体１００内において、外部から装填された光ディスク７がスピンドルモータ２２によって回転させられており（回転方向７ａ）、光ピックアップ装置１は光ディスク装置２１のメカカバー２６の下に配置される。そして、当該光ディスク装置２１では、光ディスク７の回転によって光ディスク７回転方向に空気流８が生じ、光ディスク７と光ピックアップ装置１との隙間２６ａを流れる。
【００１９】
図３及び図４は、上述した光ピックアップ装置１の概略内部構成を示す平面図であり、特に、図３は、放熱カバー１２および対物レンズ駆動装置カバー６を実装した光ピックアップ装置１を示しており、一方、図４は、放熱カバー１２および対物レンズ駆動装置カバー６を取り外した状態の光ピックアップ装置１を示している。これらの図にも明らかなように、光ピックアップ装置１は、一対の案内軸である主軸２４、副軸２５によって移動可能に支持される。そして、ステッピングモータ２３を回転駆動させることにより、リードスクリュー２７が回転し、リードスクリュー２７に係合される部材２８に連結された光ピックアップ装置１が光ディスク７の半径方向に移動する。
【００２０】
そして、光ピックアップ装置１は、図４からも明らかなように、光ディスク７上の情報記録面に対して情報の記録又は再生を行うためのレーザ光１６ａを発振するレーザ素子１３と、光ディスク７からの戻り光１６ｂを検出するレーザ受光素子１４と、レーザ光を光ディスク７に集光するＣＤ／ＤＶＤ用およびＢＤ用の２個の対物レンズ３３、３４と、対物レンズ３３、３４を駆動させる対物レンズ駆動装置２と、レーザ素子１３とレーザ受光素子１４との間のレーザ光の光路１６を形成するプリズム、ミラー等を有する光学ユニット１５と、そして、光ピックアップ装置１の動作を制御する制御回路基板（図示せず）を有している。これらの構成要素はピックアップケース１１に搭載され、発熱素子であるレーザ素子１３とレーザ受光素子１４、及び、図示しない制御回路基板から発生した熱を放熱させるため、ピックアップケース１１の上面および下面には、放熱カバー１２が装着されている（但し、図では、下面の放熱カバーは図示せず）。
【００２１】
上述した光ピックアップ装置１を搭載した光ディスク装置２１において、再生・記録動作を行う際、光ディスク７は矢印７ａ方向（図１又は２を参照）に回転する。光ディスク７の回転速度は、最速で５５００ｒｐｍ程度に達する。光ピックアップ装置１は、光ディスク７を回転させた状態において、レーザ素子１３からレーザ光１６ａを発振し、対物レンズ３３、３４を介して光ディスク７上に情報の記録を行い、又は、レーザ素子１３からのレーザ光を対物レンズ３３、３４を介して光ディスク７上の記録面に反射させて、その戻り光１６ｂをレーザ受光素子１４により受光して光ディスク７の情報を再生する。
【００２２】
図５は、対物レンズ駆動装置カバー６を取り付けた状態の対物レンズ駆動装置２の斜視図であり、図６は、対物レンズ駆動装置カバー６を取り外した場合の対物レンズ駆動装置２の展開斜視図である。更に、図７は、対物レンズ支持筐体３２に取り付けられるコイル３５、３６ａ、３６ａ’、３６ｂ、３６ｂ’の配置を示す。これらの図からも明らかなように、対物レンズ駆動装置２は、対物レンズ３３、３４と、コイル３５、３６ａ、３６ａ’、３６ｂ、３６ｂ’と、対物レンズ３３、３４とコイル３５、３６ａ、３６ａ’、３６ｂ、３６ｂ’を支持してなる対物レンズ支持筐体３２と、支持筐体３２を弾性支持する支持部材５１と、前記支持部材５１と接続し、対物レンズ支持筐体３２をピックアップケース１１に固定する固定部材５２と、コイル３５、３６ａ、３６ａ’、３６ｂ、３６ｂ’に対向する位置に一定の隙間を介して固定される一対の永久磁石４１、４１’と、当該一対の永久磁石４１、４１’を支持し、ピックアップケース１１に固定するヨーク４２と、対物レンズ駆動装置２を覆う対物レンズ駆動装置カバー６から構成される。かかる構成において、対物レンズ３３、３４を搭載する対物レンズ支持筐体３２の光ディスク７に対する位置は、図６に示すｚ軸、ｙ軸方向に制御され、その方向をそれぞれ「フォーカシング方向」、「トラッキング方向」と称する。また、対物レンズ支持筐体３２の光ディスク７に対する角度は、図６に示すｘ軸を回転軸とする回転方向に制御され、その方向を「チルト方向」と称す。対物レンズ支持筐体３２に搭載されるコイルは、ｚ軸方向（フォーカシング方向）に駆動力を発生するフォーカシングコイル３５、ｙ軸方向（トラッキング方向）に駆動力を発生するトラッキングコイル３６ａ、３６ａ’、３６ｂ、３６ｂ’、ｘ軸を回転軸とするチルト方向に駆動力を発生するチルトコイル（図示なし）で構成される。
【００２３】
更に、図８には、対物レンズ支持筐体３２に取り付けられたフォーカシングコイル３５とトラッキングコイル３６ａ、３６ａ’、３６ｂ、３６ｂ’との位置関係を示す。
【００２４】
なお、上述した構成において、各構成要素の材料としては、例えば、対物レンズ３３、３４はガラスまたはプラスチック、コイル３５、３６ａ、３６ａ’、３６ｂ、３６ｂ’は銅の細線、対物レンズ支持筐体３２および固定部材５２はプラスチック、支持部材５１、ヨーク４２、対物レンズ駆動装置カバー６は鉄合金、ピックアップケース１１はマグネシムダイカスト、亜鉛ダイカスト、アルミダイカスト、放熱カバー１２はアルミニウム、銅などが用いられる。
【００２５】
次に、光ディスク７に対する対物レンズ支持筐体３２の位置を制御する原理を説明する。なお、図９〜図１２は、対物レンズ支持筐体３２の位置を駆動・制御するための一般的な構造を示しており、それぞれ、対物レンズ支持筐体３２をｙ軸方向（トラッキング方向）およびｚ軸方向（フォーカシング方向）に駆動させる。
【００２６】
まず、ｙ軸方向（トラッキング方向）の位置制御について説明すると、図９は、対物レンズ支持筐体３２の両側に設けられた永久磁石４１ａ、４１ｂ、４１ｃ、４１ａ’、４１ｂ’、４１ｃ’による磁力線４３ａ、４３ｂ、４３ｃ、４３ａ’、４３ｂ’、４３ｃ’を示しており、図１０は、対物レンズ支持筐体３２をｘ軸方向から見た図であり、特に、対物レンズ支持筐体３２をｙ軸方向（トラッキング方向）に駆動させるときにトラッキングコイル３６ａ、３６ｂに流す電流３９、３９’の方向と、トラッキングコイル３６ａ、３６ｂに生じる電磁力Ｆｔｒの方向を示している。即ち、対物レンズ支持筐体３２を間に挟むように配置される一対の永久磁石を構成する３個の永久磁石のうち、中央に配置される永久磁石４１ｂの支持筐体との対向面をＳ極とし、その両側部に配置される永久磁石４１ａ、４１ｃをＮ極とする。こうすることで、トラッキングコイル３６ａ、３６ｂの中央部４０ｂにはＳ極の永久磁石４１ｂが対向し、トラッキングコイル３６ａ、３６ｂの両側部４０ａ、４０ｃにはＮ極の永久磁石４１ａ、４１ｃが対向することになる。
【００２７】
かかる構成において、トラッキングコイル３６ａ、３６ｂに互いに回転方向の異なる電流３９、３９’を流すと、Ｓ極に対向するトラッキングコイルの中央部４０ｂには、電流３９、３９’が共に−ｚ方向に流れるため、電磁力Ｆｔｒｂが−ｙ方向に生じる。一方、Ｎ極に対向するトラッキングコイルの両側部４０ａ、４０ｃにでは、電流３９、３９’ともに＋ｚ方向に流れるため、電磁力Ｆｔｒｂ  と同方向に電磁力Ｆｔｒａ、Ｆｔｒｃが生じる。このように、３個の永久磁石の内、中央部と両側部で互いに永久磁石の極性を逆にしているため、トラッキングコイルの中央部４０ｂおよび両側部４０ａ、４０ｃで生じる電磁力の方向はいずれも同一方向（−ｙ方向）となり、対物レンズ支持筐体３２をｙ軸方向（トラッキング方向）に駆動させることができる。
【００２８】
次に、ｚ軸方向（フォーカシング方向）について説明すると、図１１は、対物レンズ支持筐体３２を浮上させる方向に駆動させるためにフォーカシングコイルに流す電流方向３８と永久磁石４１ａ、４１ｂ、４１ｃ、４１ａ’、４１ｂ’、４１ｃ’による磁力線４３ａ、４３ｂ、４３ｃ、４３ａ’、４３ｂ’、４３ｃ’を示し、そして、図１２にはフォーカシングコイル３５に生じる電磁力Ｆの方向を示している。即ち、フォーカシングコイル３５に電流３８を流すと、Ｓ極の永久磁石４１ｂ、４１ｂ’に対向するフォーカシングコイル３５の中央部３５ｂに電磁力Ｆｂが−ｚ方向に生じ、その方向は対物レンズ指示筐体３２を沈降させる方向となる。これに対し、両側部のＮ極の永久磁石４１ａ、４１ｃ、４１ａ’、４１ｃ’に対向するフォーカシングコイル３５の両側部３５ａ、３５ｃでは、電磁力ＦａおよびＦｃが＋ｚ方向に生じ、その方向は対物レンズ支持筐体３２を浮上させる方向となる。なお、ここでは、Ｆａ＋Ｆｃ＞Ｆｂであり、フォーカシングコイル３５全体に加わる力としては浮上方向の力が大きいため、フォーカシングコイル３５に電流３８を流すことで、対物レンズ支持筐体３２を浮上させることができる。
【００２９】
なお、以上の対物レンズ支持筐体３２のｙ軸方向（トラッキング方向）およびｚ軸方向（フォーカシング方向）の制御は、もう一方の側面においても同様である。また、一対の永久磁石を構成する３個の永久磁石の極性は、中央に配置される永久磁石４１ｂをＮ極とし、その両側部に配置される永久磁石４１ａ、４１ｃをＳ極としても良い。
【００３０】
ところで、本発明者等は、上述した対物レンズ支持筐体３２の位置を駆動・制御するための一般的な構造を検討した結果、その構造から、光ディスクの回転によって生じる空気流をその内部に取り込むことは難しく、十分な冷却効果が得られない。
【００３１】
そこで、本発明では、以下に添付の図１３及び１４を参照して示すように、上述した３個で１組となる一対の永久磁石４１ａ、４１ｂ、４１ｃ、４１ａ’、４１ｂ’、４１ｃ’において、その中央部の永久磁石４１ｂ、４１ｂ’の高さを縮小して凹形状に窪んだ段差部を形成することが可能であることを発見・確認することにより、以下のような新規な光ピックアップ装置１を提案するものである。
【実施例１】
【００３２】
本発明の第一の実施例（実施例１）について、以下に詳細に説明する。
【００３３】
図１３に示す対物レンズ駆動装置２において、３個を１組とする一対の永久磁石４１ａ、４１ｂ、４１ｃ、４１ａ’、４１ｂ’、４１ｃ’、ヨーク４２、固定部材５２のいずれにも、光ディスク７の回転方向７ａと同一方向に凹形状に窪んだ段差部５３、４５、４６、４５’、４６’が設けられている。また、対物レンズ駆動装置カバー６にも、２箇所に、即ち、光ディスク７の回転方向７ａと同一方向であって、かつ、凹形状に窪んだ段差部５３、４５、４６、４５’、４６’と同一形状を有する開口部６ａ、６ｂをそれぞれ設ける。
【００３４】
図１４は、上記図１３のＡ−Ａ’断面を示した図である、３個を１組とする一対の永久磁石４１ａ、４１ｂ、４１ｃ、４１ａ’、４１ｂ’、４１ｃ’は、その間に対物レンズ支持筐体３２を間に挟むように設置され、ヨーク４２に支持固定される。そして、これらの図にも明らかなように、永久磁石４１、ヨーク４２のいずれにも、光ディスク７の回転方向７ａと同一方向に凹形状に窪んだ段差部４２ａ、４２ｂ、４１ｂ、４１ｂ’を設ける。そして、固定部材５２、ヨーク４２、永久磁石４１、４１’に設けた凹形状に窪んだ段差部５３、４５、４５’、４６、４６’のｚ軸方向の高さは、トラッキングコイル３６ａ、３６ｂ、３６ａ’、３６ｂ’の上端よりも低い構造とし、ギャップ３１ａ、３１ｂ、３１ｂ’を設ける。なお、これらの内、３個を１組とする一対の永久磁石４１ａ、４１ｂ、４１ｃ、４１ａ’、４１ｂ’、４１ｃ’に設けられる凹形状に窪んだ段差部４６、４６’は、例えば、中央部に設置される永久磁石４１ｂ、４１ｂ’の形状を、その両側部に２個設置される永久磁石４１ａ、４１ｃ、４１ａ’、４１ｃ’よりも小さくすることで形成される。また、対物レンズ支持筐体に取り付けられたトラッキングコイル３６ａ、３６ｂ、３６ａ’、３６ｂ’はフォーカシングコイル３５の側面と接触部３７を持つ。
【００３５】
以上にも述べた対物レンズ駆動装置２によれば、図１５や図１６図にも示すように、光ディスク７の回転７ａによって生じる空気流８を、対物レンズ駆動装置２の内部に流すことができる（図の矢印を参照）。即ち、光ディスク７の回転７ａによって生じる空気流８が、固定部５２に設けた凹形状に窪んだ段差部５３から対物レンズカバー６の開口部６ａに導かれ、開口部６ａから導入された空気流８ａはヨーク４２と永久磁石４１ｂに設けた凹形状に窪んだ段差部４５、４６と対物レンズ駆動装置カバー６によって形成された隙間４４を通り、トラッキングコイル３６ａ、３６ｂの上端部まで直接導かれる。さらに、対物レンズ支持筐体３２まで導かれた空気流８ｂはトラッキングコイル３６ａ’、３６ｂ’に導かれ、ヨーク４２と永久磁石４１ｂ’に設けた凹形状に窪んだ段差部４５’、４６’と対物レンズ駆動装置カバー６によって形成された隙間４４’を通り、開口部６ｂから排出される。
【００３６】
対物レンズ支持筐体に取り付けられたトラッキングコイル３６ａ、３６ｂ、３６ａ’、３６ｃ’はフォーカシングコイル３５の側面と接触部３７、３７’を持っており、かつ、そのいずれも銅であるため熱伝導率が高い（４００Ｗ／ｍ・Ｋ程度）。よって、フォーカシングコイル３５に電流を流した際に生じる熱はトラッキングコイル３６ａ、３６ｂ、３６ａ’、３６ｃ’に伝わり、トラッキングコイル３６ａ、３６ｂ、３６ａ’、３６ｃ’も発熱源であるフォーカシングコイル３５と同様に温度上昇する。そのため、トラッキングコイル３６ａ、３６ｂ、３６ａ’、３６ｃ’の表面はフォーカシングコイル３５の拡大放熱面とすることができる。
【００３７】
また、発明者等は、このときの空気流速値を、数値流体シミュレーション（ＣＦＤ：Ｃｏｍｐｕｔａｔｉｏｎａｌ  Ｆｌｕｉｄ  Ｄｙｎａｍｉｃｓ）により見積もった。図１７は数値流体シミュレーションの結果を示すグラフである。光ディスクの回転数が５５００ｒｐｍ（ディスク外周領域でおよそ３０ｍ／ｓの空気流速）の時、本実施例によれば、上述した一般の構造と比較し、トラッキングコイル３６ａ周囲の流速値が６．６倍に増大することを確認した。
【００３８】
加えて、上述したように、３個を１組とする一対の永久磁石４１ａ、４１ｂ、４１ｃ、４１ａ’、４１ｂ’、４１ｃ’のうち、中央部の永久磁石４１ｂ、４１ｂ’の高さを縮小して凹形状に窪んだ段差部を形成する構成になる対物レンズ駆動装置２における対物レンズ支持筐体３２の駆動動作について、以下に説明する。
【００３９】
図１８には、対物レンズ支持筐体３２を浮上させる方向に駆動させるためにフォーカシングコイルに流す電流方向３８と永久磁石４１ａ、４１ｂ、４１ｃ、４１ａ’、４１ｂ’、４１ｃ’による磁力線４３ａ、４３ｂ、４３ｃ、４３ａ’、４３ｂ’、４３ｃ’を示している。これら３個の永久磁石の構成としては、中央部にそれぞれＳ極を有する永久磁石４１ｂ、４１ｂ’が設置され、その両側部にＳ極を有する永久磁石よりも大きく、かつ、Ｎ極を有する永久磁石４１ａ、４１ｃ、４１ａ’、４１ｃ’がそれぞれ２個ずつ設置されている。そのため、中央部に設置されるＳ極を有する永久磁石４１ｂ、４１ｂ’により形成される磁場は、両側部のＮ極を有する２つの永久磁石４１ａ、４１ｃ、４１ａ’、４１ｃ’によって形成される磁場に比べて弱くなる。
【００４０】
また、図１９には、フォーカシングコイル３５に生じる電磁力Ｆの方向を示している。この図にも示すように、フォーカシングコイル３５に電流３８を流すと、Ｓ極の永久磁石４１ｂ、４１ｂ’に対向するフォーカシングコイル３５の中央部３５ｂに電磁力Ｆｂ’が−ｚ方向に生じ、その方向は対物レンズ指示筐体３２を沈降させる方向となる。これに対し、両側部のＮ極の永久磁石４１ａ、４１ｃ、４１ａ’、４１ｃ’に対向するフォーカシングコイル３５の両側部３５ａ、３５ｃでは、電磁力ＦａおよびＦｃが＋ｚ方向に生じ、その方向は対物レンズ支持筐体３２を浮上させる方向となる。Ｆａ＋Ｆｃ＞Ｆｂ’であり、フォーカシングコイル３５全体に加わる力としては浮上方向の力が大きいため、フォーカシングコイル３５に電流３８を流すことで、対物レンズ支持筐体３２を浮上させることができる。ただし、フォーカシングコイル３５の中央部３５ｂに生じる磁場は両側部３５ａ、３５ｃに生じる磁場より弱いため、Ｆｂ’＜Ｆｂとなり、対物レンズ支持筐体３２の浮上力は、永久磁石４１ａ、４１ｂ、４１ｃ、４１ａ’、４１ｂ’、４１ｃ’が均一の大きさである上述した一般の構造に比べて、相対的に大きくなる。
【００４１】
即ち、３個を１組とする一対の永久磁石の中央部の永久磁石の高さを縮小して凹形状に窪んだ段差部を形成する構成の対物レンズ駆動装置２によれば、上述した一般の構造に比べ、同等の、或いは、むしろ優れた対物レンズ支持筐体３２の駆動特性を得ることが出来る。
【００４２】
なお、以上の対物レンズ支持筐体３２のｚ軸方向（フォーカシング方向）の制御は、もう一方の側面においても同様である。また、一対の永久磁石を構成する３個の永久磁石の極性は、中央に配置される永久磁石４１ｂ、４１ｂ’をＮ極とし、その両側部に配置される永久磁石４１ａ、４１ｃ、４１ａ’、４１ｃ’をＳ極としても良い。
【００４３】
更に、上述した実施例１の光ピックアップ装置１における光ディスクの回転によって生じる空気流による冷却動作について説明すると、光ディスク７の回転７ａによって生じる空気流８は、上記の段差部４４（図１５、１６を参照）を通して対物レンズ駆動装置２に取り込まれ、当該空気流８によってトラッキングコイル３６ａ、３６ｂ、３６ａ’、３６ｃ’が冷却される。このとき、トラッキングコイル３６ａ、３６ｂ、３６ａ’、３６ｃ’はフォーカシングコイル３５の拡大放熱面でもあるため、トラッキングコイル３６ａ、３６ｂ、３６ａ’、３６ｃ’と、フォーカシングコイル３５の温度上昇を抑制することができる。また、一対の永久磁石４１、４１’を構成する３個の永久磁石４１ａ、４１ｂ、４１ｃ、４１ａ’、４１ｂ’、４１ｃ’において、中央部に設置される１個の永久磁石４１ｂ、４１ｂ’と、その両側部に極性を逆にする永久磁石４１ａ、４１ｃ、４１ａ’、４１ｃ’を２個設置し、中央に設置される１個の永久磁石４１ｂ、４１ｂ’の形状を、その両側部に２個設置される永久磁石４１ａ、４１ｃ、４１ａ’、４１ｃ’よりも小さくすることで、対物レンズ支持筐体３２の浮上力が、３個の磁場が同一の強さである一般の構造に比べ、より大きくなる。これにより、対物レンズ支持筐体３２を浮上させるフォーカシング方向の制御に必要な電流３８が小さくなり、フォーカシングコイル３５の発熱量を低減することができ、もって、温度上昇を抑制することができる。
【００４４】
即ち、以上のコイル３５、３６ａ、３６ｂ、３６ａ’、３６ｃ’温度上昇の低減により、対物レンズ３３、３４の過度の温度上昇を低減し、熱変形に伴う光軸ずれを抑制することができるため、光ディスク上への情報の記録、再生精度の低下を抑えることが可能となる。
【００４５】
また、前記永久磁石の構成を、中央部にＳ極を有する永久磁石を設置し、その両側部にＳ極を有する永久磁石よりも大きく、かつ、Ｎ極を有する永久磁石を２個設置することにより、中央部に設置される前記Ｓ極を有する永久磁石により形成される磁場は、両側部の前記Ｎ極を有する２つの永久磁石によって形成される磁場に比べて弱くなる。そのため、コイルに電流を流した時、前記両側部のＮ極を有する２つの永久磁石によって生じる電磁力の方向を駆動方向とすると、前記Ｓ極を有する中央の１つの永久磁石によって生じる電磁力は駆動方向と逆方向となる。一方で、前記Ｓ極を有する永久磁石により形成される磁場は両側部の前記Ｎ極を有する永久磁石によって形成される磁場に比べて弱いため、生じる電磁力も小さく、駆動を妨げる方向の力が小さい。そのため、一定の駆動電流から得られる前記対物レンズ支持筐体の駆動力を相対的に大きくすることができる。
【実施例２】
【００４６】
続いて、図２０及び２１により、上記実施例１の光ピックアップ装置１をベースにした変形形態である、本発明の実施例２になる光ピックアップ装置１とそれに搭載される対物レンズ駆動装置２について説明する。なお、図２０は、対物レンズ駆動装置２の斜視図であり、図２１は、上記図２０中のＡ−Ａ’断面を示す断面図である。
【００４７】
この実施例２においても、上記実施例１と同様に、対物レンズ駆動装置２は、対物レンズ３３、３４および対物レンズの位置および角度を制御するためのコイル３５、３６ａ、３６ａ’、３６ｂ、３６ｂ’を搭載してなる対物レンズ支持筐体３２と、対物レンズ支持筐体３２を間に挟むように設置される一対の永久磁石４１、４１’と、永久磁石４１、４１’を支持固定するヨーク４２と、対物レンズ支持筐体３２を光ピックアップ筐体１１に弾性支持する固定部材５２と、永久磁石４１およびヨーク４２の上部を覆うように設置される対物レンズ駆動装置カバー６からなり、固定部材５２、ヨーク４２、永久磁石４１、４１’、のいずれにも光ディスク７の回転方向７ａと同一方向に凹形状に窪んだ段差部５３、４５、４６、４５’、４６’を設ける（図１３及び１４を参照）。このとき、ヨーク４２と永久磁石４１、４１’に設けた凹形状に窪んだ段差部４５、４６、４５’、４６’と対物レンズ駆動装置カバー６によって隙間４４、４４’が形成される。また、対物レンズ駆動装置カバー６に、光ディスク７の回転方向７ａと同一方向であって、かつ、凹形状に窪んだ段差部４５、４６、４５’、４６’と対物レンズ駆動装置カバー６によって形成した隙間４４、４４’と同一形状を有する開口部６ａ、６ｂを、それぞれ対物レンズ支持筐体３２に対して空気流８の上流側と下流側の２箇所に設ける。
【００４８】
ただし、対物レンズ駆動装置カバー６に設けた開口部６ａは、対物レンズ駆動装置カバー６と同じ高さである必要はなく、そこで、本実施例２では、対物レンズ駆動装置カバーと光ディスク７の隙間を０．６ｍｍ程度とすることにより、例えば、開口部６ａを０．４ｍｍだけ高くしている。
【００４９】
このように、対物レンズ駆動装置カバー６の開口部６ａを対物レンズ駆動装置カバー６の高さよりも高くすることで、開口部６ａの面積が増大し、空気流８ａの取り込み量を増大させることができる。そのため、ヨーク４２と永久磁石４１、４１’に設けた凹形状に窪んだ段差部５３、４５、４６、４５’、４６’、と対物レンズ駆動装置カバー６によって形成される隙間４４を通り、トラッキングコイル３６ａ、３６ｂに導かれる空気流の風速が増大し、トラッキングコイル３６ａ、３６ａ’、３６ｂ、３６ｂ’の放熱を促進することができるため、フォーカシングコイル３５の温度上昇も抑えることが可能となり、対物レンズ３３、３４の熱変形を小さくすることができ、光軸ずれを抑えることができるため、光ディスク上への情報の記録、再生精度の低下を防ぐことができる。
【実施例３】
【００５０】
図２２は、上記実施例１の光ピックアップ装置１をベースにした他の変形形態、即ち、本発明の実施例３になる光ピックアップ装置１に搭載される対物レンズ駆動装置２を示す。
【００５１】
この実施例３になる対物レンズ駆動装置２は、上記実施例１と同様に、対物レンズ３３、３４および対物レンズの位置および角度を制御するためのコイル３５、３６ａ、３６ａ’、３６ｂ、３６ｂ’を搭載してなる対物レンズ支持筐体３２と、対物レンズ支持筐体３２を間に挟むように設置される一対の永久磁石４１、４１’と、当該一対の永久磁石４１、４１’を支持固定するヨーク４２と、対物レンズ支持筐体３２を光ピックアップ筐体１１に弾性支持する固定部材５２と、永久磁石４１およびヨーク４２の上部を覆うように設置される対物レンズ駆動装置カバー６からなり、固定部材５２、ヨーク４２、永久磁石４１、４１’、のいずれにも光ディスク７の回転方向７ａと同一方向に凹形状に窪んだ段差部５３、４５、４６、４５’、４６’を設ける（図１３及び１４を参照）。このとき、ヨーク４２と永久磁石４１、４１’に設けた凹形状に窪んだ段差部４５、４６、４５’、４６’と対物レンズ駆動装置カバー６によって隙間４４、４４’が形成される。また、対物レンズ駆動装置カバー６に、光ディスク７の回転方向７ａと同一方向であって、かつ、凹形状に窪んだ段差部４５、４６、４５’、４６’と対物レンズ駆動装置カバー６によって形成した隙間４４、４４’と同一形状を有する開口部６ａ、６ｂを、それぞれ対物レンズ支持筐体３２に対して空気流８の上流側と下流側の２箇所に設ける。
【００５２】
ただし、固定部材５２に設ける凹形状に窪んだ段差部の形状５３は、ヨーク４２と永久磁石４１に設けた凹形状に窪んだ段差部４５、４６、４５’、４６’（図１６を参照）と対物レンズ駆動装置カバー６によって形成される隙間４４、４４’と同一の断面でなくともよく、例えば、この実施例３では、図からも明らかなように、固定部材５２に設けた凹形状に窪んだ段差部５３を空気流８の上流側で広く、下流の対物レンズ駆動装置カバー６の開口部６ａに向かって徐々に狭める構造としている。
【００５３】
上述した実施例３になる構造によれば、固定部材５２に設けた凹形状に窪んだ段差部５３を対物レンズ駆動装置カバー６の開口部６ａに向かって狭めることで開口部６ａから導入される空気流８ａの流速が増大し、ヨーク４２と永久磁石４１、４１’に設けた凹形状に窪んだ段差部４５、４６と対物レンズ駆動装置カバー６によって形成される隙間４４を通り、トラッキングコイル３６ａ、３６ｂに導かれる空気流の風速が増大し、トラッキングコイル３６ａ、３６ａ’、３６ｂ、３６ｂ’の放熱を促進することができるため、フォーカシングコイル３５の温度上昇も抑えることが可能となり、対物レンズ３３、３４の熱変形を小さくすることができ、光軸ずれを抑えることができるため、光ディスク上への情報の記録、再生精度の低下を防ぐことができる。
【実施例４】
【００５４】
図２３及び２４は、上記実施例１の光ピックアップ装置１をベースにした更に他の変形形態である、本発明の実施例４になる光ピックアップ装置１に搭載される対物レンズ駆動装置２を示す。
【００５５】
この実施例４になる対物レンズ駆動装置２も、上記実施例１と同様、対物レンズ３３、３４および対物レンズの位置および角度を制御するためのコイル３５、３６ａ、３６ａ’、３６ｂ、３６ｂ’を搭載してなる対物レンズ支持筐体３２と、対物レンズ支持筐体３２を間に挟むように設置される一対の永久磁石４１、４１’と、永久磁石４１、４１’を支持固定するヨーク４２と、対物レンズ支持筐体３２を光ピックアップ筐体１１に弾性支持する固定部材５２と、永久磁石４１およびヨーク４２の上部を覆うように設置される対物レンズ駆動装置カバー６からなり、固定部材５２、ヨーク４２、永久磁石４１、４１’、のいずれにも光ディスク７の回転方向７ａと同一方向に凹形状に窪んだ段差部５３、４５、４６、４５’、４６’を設ける（図１３及び１４を参照）。このとき、ヨーク４２と永久磁石４１、４１’に設けた凹形状に窪んだ段差部４５、４６、４５’、４６’と対物レンズ駆動装置カバー６によって隙間４４、４４’が形成される。また、対物レンズ駆動装置カバー６に、光ディスク７の回転方向７ａと同一方向であって、かつ、凹形状に窪んだ段差部４５、４６、４５’、４６’と対物レンズ駆動装置カバー６によって形成した隙間４４、４４’と同一形状を有する開口部６ａ、６ｂを、それぞれ対物レンズ支持筐体３２に対して空気流８の上流側と下流側の２箇所に設ける。
【００５６】
ただし、上述したように、固定部材５２の凹形状に窪んだ段差部５３の高さは一定でなくてもよく、本実施例４では、たとえば、固定部材５２の凹形状に窪んだ段差部５３を支持筐体３２に向って徐々に深くしている。
【００５７】
即ち、図２３は、固定部材５２が凹形状に窪んだ段差部５３を支持筐体３２に向って徐々に深くする構造図を持つ対物レンズ駆動装置２の斜視図を示す。そして、図２４には、上記図２３のＡ−Ａ’断面を示す。これらに図にも示すように、固定部材５２の凹形状に窪んだ段差部５３を対物レンズ支持筐体３２に向かって徐々に深くすることで、空気流８ａはヨーク４２と永久磁石４１に設けた凹形状に窪んだ段差部４１ｂ、４２ａ、と対物レンズ駆動装置カバー６によって形成される隙間４４ａを通り、トラッキングコイル３６ａ、３６ｂの上部に導かれるだけでなく、空気流８ａをヨーク４２と永久磁石４１下部に設けた凹形状に窪んだ段差部を通し、トラッキングコイル３６ａ、３６ａ’、３６ｂ、３６ｂ’の下部に導くことができるため、フォーカシングコイル３５の温度上昇も抑えることが可能となり、対物レンズ３３、３４の熱変形を小さくすることができ、光軸ずれを抑えることができるため、光ディスク上への情報の記録、再生精度の低下を防ぐことができる。
【実施例５】
【００５８】
図２５及び２６は、上記実施例１の光ピックアップ装置１をベースにした更に他の変形形態である、本発明の実施例５になる光ピックアップ装置１に搭載される対物レンズ駆動装置２を示す。
【００５９】
この実施例５においても、上記実施例１と同様、対物レンズ駆動装置２は、対物レンズ３３、３４および対物レンズの位置および角度を制御するためのコイル３５、３６ａ、３６ａ’、３６ｂ、３６ｂ’を搭載してなる対物レンズ支持筐体３２と、対物レンズ支持筐体３２を間に挟むように設置される一対の永久磁石４１、４１’と、永久磁石４１、４１’を支持固定するヨーク４２と、対物レンズ支持筐体３２を光ピックアップ筐体１１に弾性支持する固定部材５２と、永久磁石４１およびヨーク４２の上部を覆うように設置される対物レンズ駆動装置カバー６からなり、固定部材５２、ヨーク４２、永久磁石４１、４１’、のいずれにも光ディスク７の回転方向７ａと同一方向に凹形状に窪んだ段差部５３、４５、４６、４５’、４６’を設ける（図１３及び１４を参照）。このとき、ヨーク４２と永久磁石４１、４１’に設けた凹形状に窪んだ段差部４５、４６、４５’、４６’と対物レンズ駆動装置カバー６によって隙間４４、４４’が形成される。また、対物レンズ駆動装置カバー６に、光ディスク７の回転方向７ａと同一方向であって、かつ、凹形状に窪んだ段差部４５、４６、４５’、４６’と対物レンズ駆動装置カバー６によって形成した隙間４４、４４’と同一形状を有する開口部６ａ、６ｂを、それぞれ対物レンズ支持筐体３２に対して空気流８の上流側と下流側の２箇所に設ける。
【００６０】
ただし、対物レンズ駆動装置カバー６は永久磁石４１、４１’およびヨーク４２のみを覆う構造に限らない。そこで、本実施例５においては、対物レンズ駆動装置カバー６によって永久磁石４１、４１’、ヨーク４２に加えて、固定部材５２の上部を覆う構造としている。
【００６１】
即ち、図２５は対物レンズ駆動装置カバー６によって永久磁石４１、ヨーク４２に加えて、固定部材５２の上部を覆った対物レンズ駆動装置２の斜視図であり、そして、図２６は、上記図２５のＡ−Ａ’断面を示す。これらに図において、対物レンズ駆動装置カバー６の開口部６ａから空気流８を取り込み、取り込んだ空気流８ａは固定部材５２の凹形状に窪んだ段差部５３と対物レンズ駆動装置カバー６との隙間を通り、ヨーク４２と永久磁石４１に設けた凹形状に窪んだ段差部４５、４６と対物レンズ駆動装置カバー６によって形成される隙間４４に導入され、トラッキングコイル３６ａ、３６ｂに導くことができるため、フォーカシングコイル３５の温度上昇を抑えることが可能となり、対物レンズ３３、３４の熱変形を小さくすることができ、光軸ずれを抑えることができるため、光ディスク上への情報の記録、再生精度の低下を防ぐことができる。
【００６２】
なお、本実施例においては、対物レンズ支持筐体に搭載される対物レンズは１つであってもよく、ＢＤに対応しないＣＤ、ＤＶＤ用の光ピックアップ装置であってもよい。また、対物レンズ３３、３４の配置は、光ディスク７の半径方向に限らず、光ディスク７の接線方向の配置であってもよい。
【符号の説明】
【００６３】
１…光ピックアップ装置、２…対物レンズ駆動装置、１１…ピックアップケース、１２…放熱カバー、１３…レーザ素子、１４…レーザ受光部、１５…光学ユニット、１６…レーザ光路、１６ａ…発振されたレーザ光、１６ｂ…戻り光、２１…光ディスク装置、２２…スピンドルモータ、２３…ステッピングモータ、２４…ガイドレール（主軸）、２５…ガイドレール（副軸）、２６…メカカバー、２６ａ…メカカバーと光ディスクの隙間、２７…リードスクリュー、２８…係合部材、３１ａ…固定部材の段差部からトラッキングコイル上端までのギャップ、３１ｂ，３１ｂ’…ヨーク、永久磁石の段差部からトラッキングコイル上端までのギャップ、３２…支持筐体、３３，３４…対物レンズ、３５…フォーカシングコイル、３５ａ，ｂ，ｃ…フォーカシングコイルに同じ磁場がかかる領域、３６ａ，ｂ，ｃ，ｄ…トラッキングコイル、３７…フォーカシングコイルとトラッキングコイルの接触面、３８…フォーカシングコイルに流す電流の方向、３９，３９’…トラッキングコイルに流す電流の方向、４０ａ，ｂ，ｃ…トラッキングコイルに同じ磁場がかかる領域、４１…３個２対の永久磁石、４１ａ，ｂ，ｃ，ａ’，ｂ’，ｃ’…永久磁石、４２…ヨーク、４３ａ，ｂ…磁力線、４４，４４’…ヨークおよび永久磁石の凹部と対物レンズ駆動装置カバーとの隙間、４５，４５’…ヨークの凹部、４６，４６’…永久磁石の凹部、５１…支持部材、５２…固定部材、５３…固定部材凹部、６…対物レンズ駆動装置カバー、６ａ…開口部、７…光ディスク、７ａ…光ディスクの回転方向、８…空気流、８ａ…導入される空気流、８ｂ…排出される空気流。
【図１】
2011028812.tif 000003
【図２】
2011028812.tif 000004
【図３】
2011028812.tif 000005
【図４】
2011028812.tif 000006
【図５】
2011028812.tif 000007
【図６】
2011028812.tif 000008
【図７】
2011028812.tif 000009
【図８】
2011028812.tif 000010
【図９】
2011028812.tif 000011
【図１０】
2011028812.tif 000012
【図１１】
2011028812.tif 000013
【図１２】
2011028812.tif 000014
【図１３】
2011028812.tif 000015
【図１４】
2011028812.tif 000016
【図１５】
2011028812.tif 000017
【図１６】
2011028812.tif 000018
【図１７】
2011028812.tif 000019
【図１８】
2011028812.tif 000020
【図１９】
2011028812.tif 000021
【図２０】
2011028812.tif 000022
【図２１】
2011028812.tif 000023
【図２２】
2011028812.tif 000024
【図２３】
2011028812.tif 000025
【図２４】
2011028812.tif 000026
【図２５】
2011028812.tif 000027
【図２６】
2011028812.tif 000028